(57)【特許請求の範囲】
【請求項１】
板状部材が挿入されるための開口部と、前記開口部に設けられ前記板状部材の両側縁に対応して対向配置され前記両側縁を支持する切欠部が形成された枠部とを有する筐体に対し、前記開口部の所望領域を閉塞するダミー表面板において、
前記対向配置された枠部に進退移動およびスライド移動不可に支持される前記対向配置された枠部に対応する両端部と、
前記両端部の一方の端部から突出する方向へ付勢され且つ前記枠部の一方の枠部に係合する係合位置と前記一方の枠部との係合を解除する係合解除位置との間を前記ダミー表面板に沿ってスライド移動可能に支持されるラッチヘッドと、
前記係合位置にある前記ラッチヘッドを前記係合解除位置にスライド移動させる操作部材と、
前記ダミー表面板の側部に設けられ且つ隣接する他のダミー表面板或いは前記開口部との間隙を閉塞する導電性の弾性部材とを有し、
前記一方の端部は、前記一方の枠部前面に当接する前面当接部と前記枠部に形成された前記切欠部に嵌まり込む突起部とを備え、
前記両端部の他方の端部は、前記枠部の他方の枠部前面に当接する前面当接部と前記他方の枠部後面に当接する後面当接部と前記他方の枠部に形成された前記切欠部に嵌まり込む突起部と、
を備えることを特徴とするダミー表面板。
【請求項２】
請求項１記載のダミー表面板において、前記両端部の他方の端部は前記一方の端部と同様に構成されていることを特徴とするダミー表面板。
【発明の詳細な説明】
【０００１】
【発明の属する技術分野】
本発明は、板状部材を挿入あるいは抜去するための開口部を有し、この開口部から板状部材が多段に収容される筐体に対して、開口部の所望領域を閉塞するダミー表面板に関するものである。
【０００２】
【従来の技術】
上述の筐体として、従来、例えば、ＩＣ或いはＬＳＩ等の電子部品が実装された板状部材としてのプリント基板を挿抜あるいは抜去するための開口部を有し、これらのプリント基板を内部に収容する通信装置、計算機、交換機等の電子装置の筐体が知られている。
【０００３】
一般に、このような電子装置の筐体においては、筐体内部に収容されたプリント基板に実装された電子部品から発生する熱による筐体内部の温度上昇を防止するために、ＦＡＮ等を使用して筐体内部を強制的に冷却する場合がある。この場合、筐体には、冷却用の空気が筐体外部に漏洩しないように、開口部を閉塞するための表面板が取り付けられている。
【０００４】
上記表面板として、従来、図９に示す技術が知られている。図９は、従来用いられている電子装置の筐体およびこの筐体に装着される表面板を示す構成図である。図９において、電子装置の筐体１は複数のプリント基板２が多段に挿入可能な開口部３を有している。以下の説明において、１枚のプリント基板２が挿入あるいは抜去される開口部３の領域をスロットと言う場合がある。また、以下の説明において、筐体１の開口部３が設けられている部分を筐体１の前面部と言い、筐体１の前面部反対側を後面部と言う。
【０００５】
電子装置１の後面部にはバックパネル４が取り付けられている。バックパネル４には図示しないコネクタが配置されている。プリント基板２には、プリント基板２が開口部３から挿入され筐体１内部に収容される際に前記図示しないコネクタに接続されるコネクタ６が装着されている。また、プリント基板２には図示しないＩＣ或いはＬＳＩ等の電子部品が実装されている。電子装置１の前面部および後面部を除いた部分にはパネルが取り付けられている。
【０００６】
開口部３には、挿入あるいは抜去されるプリント基板２の上下両側縁に対応して枠部７，８が設けられている。枠部７，８には、挿入あるいは抜去されるプリント基板２の上下両側縁を支持する複数の切欠部９，１１が複数のスロット毎に形成されている。筐体１内部には、挿入あるいは抜去されるプリント基板２の上側縁を支持するガイド溝１２が複数のスロット毎に設けられている。同様に、筐体１内部には、プリント基板２の下側縁を支持する図示しないガイド溝が設けられている。この図示しないガイド溝は、ガイド溝１２と同様に構成されている。
【０００７】
プリント基板２の前側縁には、プリント基板２が筐体１に挿入された場合に、開口部３の該当スロットを閉塞する表面板１３が図示しないネジ等により固定されている。表面板１３の上下端部には挿抜レバー１４，１６が固定されている。
【０００８】
挿抜レバー１４，１６は、枠部７，８に対して前後方向の位置移動を固定するロック状態と、このロック状態を解除し枠部７，８に対して前後方向に位置移動可能なロック解除状態との間で変動可能な構造を有している。プリント基板２が開口部３に挿入される場合、挿抜レバー１４，１６をロック解除状態とし、プリント基板２が開口部３に挿入されて筐体１内部に収容された場合、挿抜レバー１４，１６をロック状態とすることで、プリント基板２の挿入動作を行なっている。開口部３からプリント基板２を抜去する場合は、ロック状態にある挿抜レバー１４，１６をロック解除状態にする。このようにロック状態とロック解除状態との間で変動可能な挿抜レバーは一般的に知られている構造であり、例えば、特開平９−１８１８３号公報に開示されている。
【０００９】
【発明が解決しようとする課題】
上述の通り、筐体１内部の冷却効率を高めるためには、開口部３全体を閉塞し、筐体１外部へ冷却用の空気が漏洩しないように、開口部３の未使用のスロットも閉塞する必要がある。しかしながら、図９に示した正面板１３および挿抜レバー１４，１６はプリント基板２に一体的に固定されているため、開口部３の未使用のスロットを閉塞するために、従来は、電子部品を実装していないダミー用プリント基板に正面板１３および挿抜レバー１４，１６を固定して筐体１の開口部から挿入していた。この場合、ダミー用プリント基板と、このダミー用プリント基板に固定される正面板１３および挿抜レバー１４，１６のための部品コストが高くなり、また、組立工数も増大していた。
【００１０】
一方、図９に示すような電子部品を多数収容する電子装置１においては、開口部３から電磁妨害波が外部に漏洩しやすい構造になっており、その防止対策が求められていた。その対策として、従来、隣接する正面板１３およびダミー用正面板の間にシールドバネ等の弾性部材を配置し、この弾性部材により各正面板１３間の間隙をシールドする技術が知られている。
【００１１】
しかしながら、図９に示すような従来の正面板１３は、枠板に対して前後方向の位置を固定する構造は有しているが、枠板に沿ってスライド方向の位置を固定する構造を有していなかった。そのため、開口部３の各スロットに正面板１３を挿入するとシールドバネ等の弾性部材から発生する反力が枠板に沿った方向に作用し、この反力がスロットの数だけ加算されるため、表面板１３が枠部７，８に沿って移動してしまい、正面板１３を各スロットに挿入する作業の効率が低下する場合があった。
【００１２】
【課題を解決するための手段】
そこで本発明は、ダミー表面板において、以下の特徴的な構成で上述の課題を解決する。
【００１３】
すなわち本発明は、板状部材が挿入されるための開口部と、開口部に設けられ板状部材の両側縁に対応して対向配置され両側縁を支持する切欠部が形成された枠部とを有する筐体に対し、開口部の所望領域を閉塞するダミー表面板において、対向配置された枠部に進退移動およびスライド移動不可に支持される対向配置された枠部に対応する両端部と、両端部の一方の端部から突出する方向へ付勢され且つ枠部の一方の枠部に係合する係合位置と一方の枠部との係合を解除する係合解除位置との間をダミー表面板に沿ってスライド移動可能に支持されるラッチヘッドと、係合位置にあるラッチヘッドを係合解除位置にスライド移動させる操作部材と、ダミー表面板の側部に設けられ且つ隣接する他のダミー表面板或いは開口部との間隙を閉塞する導電性の弾性部材とを有し、一方の端部は、一方の枠部前面に当接する前面当接部と枠部に形成された切欠部に嵌まり込む突起部とを備え、両端部の他方の端部は、枠部の他方の枠部前面に当接する前面当接部と他方の枠部後面に当接する後面当接部と他方の枠部に形成された切欠部に嵌まり込む突起部とを備えることを特徴とする。
【００１４】
【発明の実施の形態】
次に、図面を参照しながら、本発明の実施の形態を説明する。
【００１５】
（実施の形態１）
まず、本発明の実施の形態１について、図１〜図５を用いて説明する。図１は、本発明の実施の形態１におけるダミー表面板の構成図で、図１（ａ）はダミー表面板の正面図で、図１（ｂ）はダミー表面板の側面図である。図２は、同実施の形態１のダミー表面板が通信装置の筐体に装着された状態を示す図である。図３は、図２の要部拡大図である。図４は、同実施の形態１のダミー表面板が通信装置の筐体に装着される動作を示す図である。図５は、同実施の形態１のダミー表面板を通信装置の筐体から取り外す動作を示す図で、図５（ａ）は、ダミー表面板を筐体の開口部に装着された状態を示す図で、図５（ｂ）はダミー表面板を筐体の開口部から取り外す動作を示す図である。
【００１６】
なお、この実施の形態１の説明において、図９に示した構成要素と同様の構成要素には同一の符号を付して、その詳細な説明を省略する。
【００１７】
図２において、本発明の実施の形態１のダミー表面板２１は、図９に示した筐体１に装着される。
【００１８】
図１（ａ）において、ダミー表面板２１は下線部（図１において枠部８側端部）に、下端表面部２２と、この下端表面部２２の両側から後方（図１（ｂ）において右方向）に伸びる下端側面部２３とを有している。下端表面部２２の下端部分には枠部８の前面に当接する前面当接部２６が設けられている。下端表面部２２および下端側面部２３には、下端表面部２２の両側部分から下端側面部２３にかけた領域が切除されており、下端側面部２３には前面当接部２６に対向して枠部８の後面に当接する後面当接部２７が設けられている。ダミー表面板２１の下端部は、前面当接部２６と後面当接部２７とで枠部８と前後から係合することで、ダミー表面板２１下端部の枠部８に対する前後方向の移動が阻止される。
【００１９】
ダミー表面板２１下端部は前面当接部２６から後方に伸びる突起部２８を有している。突起部２８は、ダミー表面板２１が開口部３に装着される際に、切欠部１１に嵌まり込む位置に形成されている。ダミー表面板２１下端部は、この突起部２８が切欠部１１に嵌まり込むことにより、枠部１１に沿った方向へのスライド移動が阻止される。
【００２０】
ダミー表面板２１は上端部（図１において枠部７側端部）に、上端表面部３１を有している。図１（ｂ）において、上端表面部３１後面には、ラッチ錠３２が設けられている。
【００２１】
図１（ｂ）、３において、ラッチ錠３２は、中空のケース３３と、このケース３３内面により上端表面板３１に沿ってスライド移動可能に案内支持されるラッチヘッド３４を有している。ラッチヘッド３４は、前方から後方へ向けて下がり傾斜する係合案内面３４aを有している。ケース３３内部には、ラッチヘッド３４をダミー表面板２１上端部外方向へ付勢する図示しない押圧バネが配置されている。ラッチヘッド３４は、この図示しない押圧バネにより、ダミー表面板２１が開口部３に装着された場合に枠部７裏面に当接して係合する係合位置に保持されている。ケース３３は、ケース固定部材３５，３６に挟まれた状態で保持される。ケース保持部材３５，３６は、複数のネジ３７によりダミー表面板２１上端部後面に固定されている。
【００２２】
ダミー表面板２１の上端表面部３１には、貫通孔３８が形成されている。貫通孔３８には、上述の係合位置に保持されているラッチヘッド３４を図５（ｂ）に示すように枠部７と係合しない係合解除位置にスライド移動させるための操作部材３９が配置されている。ラッチ錠３２は、操作部材３９を手前に引くことにより、ラッチヘッド３４が係合解除位置にスライド移動されるようになっている。このような機能を有するラッチ錠３２は一般的に知られている。
【００２３】
ダミー表面板２１は、上端表面部３１の上端部分に枠部７前面に当接する前面当接部４１を有している。ダミー表面板２１の上端部は、前面当接部４１とラッチヘッド３４とが、それぞれ枠部７の前面および後面に当接して枠部８に対する前後方向の移動が防止される。ダミー表面板２１上端部は前面当接部４１から後方（図１（ｂ）において右方向）に伸びる突起部４２を有している。突起部４２は、ダミー表面板２１が開口部３に装着される際に、切欠部９に嵌まり込む位置に形成されている。ダミー表面板２１上端部は、この突起部４２が切欠部９に嵌まり込むことにより、枠部９に沿った方向へのスライド移動が阻止される。
【００２４】
図１において、ダミー表面板２１は下端表面部２２と上端表面部３１との間に、本体表面部４３と、本体表面部４１両側から後方（図１（ｂ）において右方向）に伸びる本体側面部４４を有している。
【００２５】
本実施の形態１のダミー表面板２１では、符号２２〜４４により示される構成要素は導電性を有する金属製のものが採用されている。
【００２６】
次に前述の構成を備えた本発明の実施の形態１のダミー表面板を筐体１の開口部３に装着あるいは取り外す動作を説明する。
【００２７】
図４において、ダミー表面板２１を開口部３に装着する場合、まずダミー表面板２１下端部を枠部８に装着する（図４に２点鎖線で示す状態）。このとき、前面当接部２６が枠部８前面に当接し、後面当接部２７が枠部８後面に当接することにより、ダミー表面板２１下端部の枠部８に対する前後方向の位置が固定される。また、このとき突起部２８が切欠部１１に嵌まり込むため、ダミー表面板２１下端部の枠部８に沿った方向の位置が固定される。
【００２８】
次に、図４に実線で示すように、ダミー表面板２１を下端部を支点として開口部３に向けて回動させると、係合位置にあるラッチヘッド３４の係合案内面３４aが枠部７下端に当接する。そのまま、ダミー表面板２１を下端部を支点として回動させ、開口部３に向かって押し進める、ラッチヘッド３４の係合案内面３４aが下方に押圧されるため、ラッチヘッド３４は係合案内面３４aが枠部７下端との係合を保った状態で下方にスライド移動する。そのまま、ダミー表面板２１を下端部を支点として回動させると、図５（ａ）に示す通り、前面当接部４１が枠部７前面に当接し、ダミー表面板２１の回動が係止される。このとき、ラッチヘッド３４は、係合案内面３４aと枠部７下端との係合が解除され、前述した係合位置にスライド移動する。係合位置にスライド移動したラッチヘッド３４は、前述の通り、図示しない押圧バネによりダミー表面板２１外方向に付勢され、係合位置に保持される。係合位置に保持されたラッチヘッド３４は、枠部７後面に係合する。前面当接部およびラッチヘッド３４により、ダミー表面板２１上端部の枠板７に対する前後方向の位置が固定される。また、このとき突起部４２が切欠部９に嵌まり込むため、ダミー表面板２１上端部の枠部７に沿った方向の位置が固定される。
【００２９】
次に、ダミー表面板２１を取り外す場合について説明する。
【００３０】
図５（ａ）に示すとおり、ダミー表面板２１は、開口部３に装着されている場合、ラッチヘッド３４は係合位置に保持されている。ダミー表面板２１を取り外す場合、図５（ｂ）に示す通り、操作部材３９を手前に引くことで、ラッチヘッド３４がダミー表面板２１内方向にスライドされ、前述の係合解除位置に移動される。その状態で、操作部材３９を前方に引っ張ることにより、ラッチヘッド３４と枠部７後面との係合が解除され、ダミー表面板２１は、下端部を支点として図５において反時計方向（矢印Ｖ方向）に回動自在となる。
【００３１】
以上の説明から明らかなように、この実施の形態１によれば、ダミー表面板２１を用いて開口部３の未使用のスロットを閉塞することにより、ダミー表面板の部品コストを削除することができる。また、ダミー表面板２１に電子部品が実装されていないダミー用のプリント基板を固定する必要がないため、組立工数を低減することができる。さらにまた、ダミー表面板２１を開口部３に装着あるいは取り外す場合の操作性を向上することができる。
【００３２】
（実施の形態２）
次に本発明の好適な実施の形態２を図６〜図８を用いて説明する。図６は、本発明の実施の形態２のダミー表面板の構成図で、図６（ａ）はダミー表面板の側面図で、図６（ｂ）はダミー表面板の正面図である。図７は、図６（ｂ）を矢印Ａ方向から見た断面部である。図８は、本発明の実施の形態２のダミー表面板が複数装着される様子を示した図である。
【００３３】
なお、本実施の形態２の説明において、実施の形態１の構成要素に対応する構成要素には同一の符号を付して、その詳細な説明を省略する。本実施の形態２は、下記の点で実施の形態１と相違しているが、他の点では実施の形態１と同様に構成されている。
【００３４】
図６，７において、本実施の形態２のダミー表面板２１は、本体側面部４４の一方側と本体表面部４３との折り曲げ部分に複数の貫通孔５１が形成されている。本体側面部４４の先端とこれら複数の貫通孔５１にはシールドバネ５２が取り付けられている。シールドバネ５２は、図８に示すように、隣接する他のダミー表面板２１との間隙を閉塞し、この間隙から電磁妨害波が漏洩することを防止する役目を有している。
【００３５】
本実施の形態２によれば、図８に示すように、開口部３に複数のダミー表面板２１を装着した場合、個々に取り付けられているシールドバネ５２の弾性力が枠部７，８に沿った方向に作用する。この場合、各ダミー表面板２１は互いに枠部７，８に沿った方向に押圧されるが、ダミー表面板２１上端部および下端部にそれぞれ設けられている突起部４２，２８により、枠部７，８に沿った方向の位置が固定することが出来る。
【００３６】
以上の説明から明らかなように、この実施の形態２によれば、ダミー表面板２１を用いて開口部３の未使用のスロットを閉塞する場合に、隣接する各ダミー表面板２１間の間隙から電磁妨害波が漏洩することを操作性を損なうことなく防ぐことができる。
【００３７】
以上、本発明の実施の形態を詳述したが、本発明は、前記各実施の形態に限定されるものではなく、特許請求の範囲に記載された本発明の要旨の範囲内で、種々の変更を行うことが可能である。本発明の他の実施の形態を下記に例示する。
【００３８】
（１）各実施の形態において、ダミー表面板２１，５１は、下端部を上端部と同様の構成に変更することが可能である。
【００３９】
【発明の効果】
以上述べた様に本発明によれば、ダミー表面板は、板状部材が挿入されるための開口部と、この開口部に設けられ板状部材の両側縁に対応して対向配置され板状部材の両側縁を支持する切欠部が形成された枠部とを有する筐体に対し、開口部の所望領域を閉塞するダミー表面板において、一方の端部が対向配置された枠部の一方の枠部に進退移動およびスライド移動不可に支持される対向配置された枠部に対応する両端部と、この一方の端部から突出する方向へ付勢され且つ前記一方の枠部に係合する係合位置と前記一方の枠部との係合を解除する係合解除位置との間をダミー表面板に沿ってスライド移動可能に支持されるラッチヘッドとを備えている。このため、開口部の未使用のスロットを閉塞する場合に、部品コストを削除でき、且つ組立工数の少ないダミー表面板を提供することができる。
【図面の簡単な説明】
【図１】本発明の実施の形態１におけるダミー表面板の構成図で、図１（ａ）はダミー表面板の正面図で、図１（ｂ）はダミー表面板の側面図である。
【図２】同実施の形態１のダミー表面板が通信装置の筐体に装着された状態を示す図である。
【図３】図２の要部拡大図である。
【図４】同実施の形態１のダミー表面板が通信装置の筐体に装着される動作を示す図である。
【図５】図５は、同実施の形態１のダミー表面板を通信装置の筐体から取り外す動作を示す図で、図５（ａ）は、ダミー表面板を筐体の開口部に装着された状態を示す図で、図５（ｂ）はダミー表面板を筐体の開口部から取り外す動作を示す図である。
【図６】図６（ａ）はダミー表面板の側面図で、図６（ｂ）は堕見表面板の正面図である。
【図７】図７は、図６（ｂ）を矢印Ａ方向から見た断面部である。
【図８】本発明の実施の形態２のダミー表面板が複数装着される様子を示した図である。
【図９】従来用いられている電子装置の筐体およびこの筐体に装着される表面板を示す構成図である。
【符号の説明】
１…筐体、２…プリント基板、３…開口部、（７，８）…枠部、（９，１１）…切欠部、２１…ダミー表面板、（２８，４２）…突起部、３４…ラッチヘッド、３９…操作部材、５２…シールドバネ。
【図１】
0003673672.tif 000002
【図２】
0003673672.tif 000003
【図３】
0003673672.tif 000004
【図４】
0003673672.tif 000005
【図５】
0003673672.tif 000006
【図６】
0003673672.tif 000007
【図７】
0003673672.tif 000008
【図８】
0003673672.tif 000009
【図９】
0003673672.tif 000010